(57)【要約】  アクティブで動作可能な状態になる前にＷｉＭＡＸネットワークによって認証される必要のあるフェムト・アクセス・ポイントによって初期ネットワークエントリ手順を実施するための方法および装置が提供される。本方法は、ＤＮＳ問い合わせを実施して関連付けられるフェムト・ネットワーク・サービス・プロバイダ・ドメイン内の関連付けられるサーバおよびゲートウェイを発見し、サーバのＩＰアドレスおよびゲートウェイのＩＰアドレスを取得するステップを含む。また方法は、フェムト・アクセス・ポイントとゲートウェイとの間にセキュアなＩＰトンネルを確立するステップも含む。本方法はさらに、デフォルトの自己組織化ネットワークサーバと対話して位置決め許可を実行するステップを含む。また方法は、フェムトゲートウェイに対して登録を実行するステップも含む。【選択図】  図２
2012532512.tif 000002
【特許請求の範囲】
【請求項１】
アクティブで動作可能な状態になる前にＷｉＭＡＸネットワークにより認証される必要のあるフェムト・アクセス・ポイントによって初期ネットワークエントリ手順を実施するための方法であって、
ＤＮＳ問い合わせを実施して、関連付けられるフェムト・ネットワーク・サービス・プロバイダ・ドメイン内において関連付けられるサーバおよびゲートウェイを発見し、前記サーバのＩＰアドレスおよび前記ゲートウェイのＩＰアドレスを取得するステップと、
前記関連付けられるフェムト・ネットワーク・サービス・プロバイダにより前記フェムト・アクセス・ポイントを認証し、前記フェムト・アクセス・ポイントと前記ゲートウェイとの間にセキュアなＩＰトンネルを確立するステップと、
デフォルトの自己組織化ネットワークサーバと対話して位置決め許可を実行するステップであって、該自己組織化ネットワークサーバは、暫定的な無線パラメータを用いて前記フェムト・アクセス・ポイントを自動構成するように構成されている、ステップと、
フェムトゲートウェイに対して登録を実行するステップと
を備える方法。
【請求項２】
ＤＨＣＰサーバ、認証ユニット、または前記自己組織化ネットワークサーバのうちの１つによって提供される構成パラメータにより前記フェムト・アクセス・ポイントに前記フェムトゲートウェイを割り当てるステップをさらに備える、請求項１に記載の方法。
【請求項３】
前記実施するステップは、複数のゲートウェイのＩＰアドレスが取得される場合に１つのゲートウェイのＩＰアドレスを選択する工程を備え、前記選択されるＩＰアドレスを有する前記ゲートウェイが前記フェムト・アクセス・ポイントのデフォルトのゲートウェイである、請求項１に記載の方法。
【請求項４】
前記実施するステップは、前記関連付けられるサーバおよびゲートウェイが前記フェムト・アクセス・ポイントに対して事前構成されていない場合に、前記ＤＮＳ問い合わせを実施する工程を備える、請求項１に記載の方法。
【請求項５】
前記ＤＮＳ問い合わせによって発見される前記関連付けられるサーバがＤＨＣＰサーバであり、前記関連付けられるゲートウェイがサービスゲートウェイである、請求項１に記載の方法。
【請求項６】
前記自己組織化ネットワークサーバが前記ＤＮＳ問い合わせによって発見される、請求項１に記載の方法。
【請求項７】
前記認証するステップは、前記ゲートウェイを介して前記フェムト・アクセス・ポイントと認証ユニットとの間で認証を行う工程を備える、請求項１に記載の方法。
【請求項８】
前記認証するステップは、前記認証ユニットが、前記フェムト・アクセス・ポイントへの事前割当て情報に基づいて前記フェムト・アクセス・ポイントが許可された加入者であることを検査する工程を備える、請求項７に記載の方法。
【請求項９】
前記認証するステップは、前記認証ユニットがデフォルトの自己組織化ネットワークサーバとして使用するために前記自己組織化ネットワークサーバを前記フェムト・アクセス・ポイントに割り当てる工程を備える、請求項７に記載の方法。
【請求項１０】
前記認証するステップは、前記認証ユニットが前記フェムトゲートウェイを前記フェムト・アクセス・ポイントに割り当てる工程を備える、請求項７に記載の方法。
【請求項１１】
前記対話するステップは、自己組織化ネットワークサーバの発見を実行し、デフォルトの自己組織化ネットワークサーバに接続する工程を含む、請求項１に記載の方法。
【請求項１２】
前記接続する工程は、前記フェムト・ネットワーク・サービス・プロバイダによって構成された別のＩＰアドレスを取得して前記フェムト・ネットワーク・サービス・プロバイダ・ドメイン内において動作し、前記フェムト・アクセス・ポイントに前記デフォルトの自己組織化ネットワークサーバがまだ割り当てられていない場合に、前記デフォルトの自己組織化ネットワークサーバを取得することを備える、請求項１１に記載の方法。
【請求項１３】
前記接続する工程は、前記フェムトゲートウェイがまだ割り当てられていない場合に、前記フェムトゲートウェイを前記フェムト・アクセス・ポイントに割り当てることを備える、請求項１１に記載の方法。
【請求項１４】
前記対話するステップは、ＤＨＣＰ手順またはＤＮＳ問い合わせのうちの少なくとも１つをトリガして、前記デフォルトの自己組織化ネットワークサーバと関連付けられる情報を取得する工程を備える、請求項１に記載の方法。
【請求項１５】
アクティブで動作可能な状態になる前にＷｉＭＡＸネットワークにより認証される必要のあるフェムト・アクセス・ポイントによって初期ネットワークエントリ手順を実施するように構成された装置であって、
ＤＮＳ問い合わせを実施して、関連付けられるフェムト・ネットワーク・サービス・プロバイダ・ドメイン内において関連付けられるサーバおよびゲートウェイを発見し、前記サーバのＩＰアドレスおよび前記ゲートウェイのＩＰアドレスを取得するように構成された前記フェムト・アクセス・ポイントと、
前記フェムト・アクセス・ポイントを前記ゲートウェイのサポートを介して認証するように構成されたフェムト・ネットワーク・サービス・プロバイダであって、前記フェムト・アクセス・ポイントと前記ゲートウェイとの間にセキュアなＩＰトンネルが確立される、フェムト・ネットワーク・サービス・プロバイダと、
前記フェムト・アクセス・ポイントのための位置決め許可を実行するように構成されたデフォルトの自己組織化ネットワークサーバであって、該自己組織化ネットワークサーバは、暫定的な無線パラメータを用いて前記フェムト・アクセス・ポイントを自動構成するように構成されている、デフォルトの自己組織化ネットワークサーバと
を備え、前記フェムト・アクセス・ポイントがフェムトゲートウェイに対して登録を実行する装置。
【請求項１６】
前記フェムトゲートウェイは、ＤＨＣＰサーバ、認証ユニット、または前記自己組織化ネットワークサーバのうちの１つによって提供される構成パラメータにより前記フェムト・アクセス・ポイントに割り当てられる、請求項１５に記載の装置。
【請求項１７】
前記フェムト・アクセス・ポイントは、複数のゲートウェイのＩＰアドレスが取得される場合に１つのゲートウェイのＩＰアドレスを選択するように構成されており、前記選択されるＩＰアドレスを有するゲートウェイが前記フェムト・アクセス・ポイントのデフォルトのゲートウェイである、請求項１５に記載の装置。
【請求項１８】
前記フェムト・アクセス・ポイントは、前記関連付けられるサーバおよびゲートウェイが前記フェムト・アクセス・ポイントに対して事前構成されていない場合に前記ＤＮＳ問い合わせを実施するように構成されている、請求項１５に記載の装置。
【請求項１９】
前記ＤＮＳ問い合わせによって発見される前記関連付けられるサーバがＤＨＣＰサーバであり、前記関連付けられるゲートウェイがサービスゲートウェイである、請求項１５に記載の装置。
【請求項２０】
前記自己組織化ネットワークサーバが前記ＤＮＳ問い合わせによって発見される、請求項１５に記載の装置。
【請求項２１】
前記フェムト・ネットワーク・サービス・プロバイダの認証ユニットは、前記フェムト・アクセス・ポイントへの事前割当て情報に基づいて前記フェムト・アクセス・ポイントが許可された加入者であることを検査するように構成されている、請求項１５に記載の装置。
【請求項２２】
前記認証ユニットは、デフォルトの自己組織化ネットワークサーバとして使用するために前記自己組織化ネットワークサーバを前記フェムト・アクセス・ポイントに割り当てるように構成されている、請求項２１に記載の装置。
【請求項２３】
前記認証ユニットは、前記フェムトゲートウェイを前記フェムト・アクセス・ポイントに割り当てるように構成されている、請求項２１に記載の装置。
【請求項２４】
前記フェムト・アクセス・ポイントは、自己組織化ネットワークサーバの発見を実行し、デフォルトの自己組織化ネットワークサーバに接続するように構成されている、請求項１５に記載の装置。
【請求項２５】
前記フェムト・アクセス・ポイントは、前記フェムト・ネットワーク・サービス・プロバイダによって構成された別のＩＰアドレスを取得して前記フェムト・ネットワーク・サービス・プロバイダ・ドメイン内において動作し、前記フェムト・アクセス・ポイントに前記デフォルトの自己組織化ネットワークサーバがまだ割り当てられていない場合に、前記デフォルトの自己組織化ネットワークサーバを取得するように構成されている、請求項２４に記載の装置。
【請求項２６】
アクティブで動作可能な状態になる前にＷｉＭＡＸネットワークにより認証される必要のあるフェムト・アクセス・ポイントによって初期ネットワークエントリ手順を実施するための装置であって、
ＤＮＳ問い合わせを実施して、関連付けられるフェムト・ネットワーク・サービス・プロバイダ・ドメイン内において関連付けられるサーバおよびゲートウェイを発見し、前記サーバのＩＰアドレスおよび前記ゲートウェイのＩＰアドレスを取得する手段と、
前記関連付けられるフェムト・ネットワーク・サービス・プロバイダにより前記フェムト・アクセス・ポイントを認証し、前記フェムト・アクセス・ポイントと前記ゲートウェイとの間にセキュアなＩＰトンネルを確立する手段と、
デフォルトの自己組織化ネットワークサーバと対話して位置決め許可を実行する手段であって、該自己組織化ネットワークサーバは、暫定的な無線パラメータを用いて前記フェムト・アクセス・ポイントを自動構成するように構成されている、手段と、
フェムトゲートウェイに対して登録を実行する手段と
を備える装置。
【請求項２７】
アクティブで動作可能な状態になる前にＷｉＭＡＸネットワークにより認証される必要のあるＷｉＭＡＸ非認証フェムト・アクセス・ポイントによって初期ネットワークエントリ手順を実施するための方法であって、
ＤＮＳ問い合わせを実施して、関連付けられるフェムト・ネットワーク・サービス・プロバイダ・ドメイン内の関連付けられるサーバおよびゲートウェイを発見し、前記サーバのＩＰアドレスおよび前記ゲートウェイのＩＰアドレスを取得するステップと、
デフォルトの自己組織化ネットワークサーバと対話して位置決め許可を実行するステップであって、該自己組織化ネットワークサーバは、暫定的な無線パラメータを用いて前記フェムト・アクセス・ポイントを自動構成するように構成されている、ステップと、
フェムトゲートウェイに対して登録を実行するステップと
を備える方法。
【発明の詳細な説明】
【発明の背景】
【０００１】
[発明の分野］
[0001］本発明は、アクティブで動作可能な状態になる前にＷｉＭＡＸネットワークによって認証される必要のある統合または非統合フェムト・アクセス・ポイント（ＷＦＡＰ）の初期ネットワークエントリ手順を実行するためのシステムおよび方法を対象とする。
【関連技術の説明】
【０００２】
[0002］フェムトセルシステムのためのＷｉＭＡＸネットワークアーキテクチャの一実施形態は、ネットワーク・アクセス・プロバイダ（ＮＡＰ：ｎｅｔｗｏｒｋ  ａｃｃｅｓｓ  ｐｒｏｖｉｄｅｒ）の機能および業務領域をネットワーク・サービス・プロバイダ（ＮＳＰ：ｎｅｔｗｏｒｋ  ｓｅｒｖｉｃｅ  ｐｒｏｖｉｄｅｒ）の機能および業務領域と区別するＷｉＭＡＸ基本参照ネットワークモデルに基づくものである。図１に、ＷｉＭＡＸ基本参照ネットワークモデルにおける先行技術のネットワーク事業者間関係の図を示す。各ＮＡＰ１０２は、１つまたは複数のＮＳＰ１０４にＷｉＭＡＸ無線アクセスインフラストラクチャを提供する企業実体である。各ＮＳＰ１０４はユーザの加入契約を管理し、取り決められたサービスレベル契約に従って加入者にＩＰ接続およびＷｉＭＡＸサービスを提供する企業実体である。これらのサービスを提供するために、各ＮＳＰ１０４は１つまたは複数のＮＡＰ１０２と契約を締結する。またＮＳＰ１０４は、加入者にＩＰサービスを提供するために、他のＮＳＰとのローミング協定および第三者アプリケーション・サービス・プロバイダ（ＡＳＰ：ａｐｐｌｉｃａｔｉｏｎ  ｓｅｒｖｉｃｅ  ｐｒｏｖｉｄｅｒ）との契約を締結することもできる。
【０００３】
[0003］ＮＳＰ１０４およびＮＡＰ１０２の論理ネットワークエンティティは、それぞれ、接続サービスネットワーク（ＣＳＮ：ｃｏｎｎｅｃｔｉｖｉｔｙ  ｓｅｒｖｉｎｇ  ｎｅｔｗｏｒｋ）およびアクセス・サービス・ネットワーク（ＡＳＮ：ａｃｃｅｓｓ  ｓｅｒｖｉｎｇ  ｎｅｔｗｏｒｋ）を含む。ＮＡＰ１０２は１つまたは複数のＡＳＮとして配備され、これらのＡＳＮはＡＳＮゲートウェイおよび基地局で構成される。ＮＳＰ１０４はＣＳＮとして配備され、ホームエージェント、認証、許可、および課金（ＡＡＡ：ａｕｔｈｅｎｔｉｃａｔｉｏｎ，  ａｕｔｈｏｒｉｚａｔｉｏｎ，  ａｎｄ  ａｃｃｏｕｎｔｉｎｇ）、ならびに他の関連するサーバおよびデータベースを含み得る。
【０００４】
[0004］フェムトセルをサポートするＷｉＭＡＸネットワークにおいては、フェムトＮＳＰが、フェムト・アクセス・ポイント（ＷＦＡＰ）の運用、認証、および管理に責任を負う。フェムトＮＳＰは、移動局加入契約に責任を負う従来のＷｉＭＡＸ  ＮＳＰから論理的に区別され、フェムトＡＡＡおよびフェムトセル管理／自己組織化ネットワーク（ＳＯＮ：ｓｅｌｆ−ｏｒｇａｎｉｚｉｎｇ  ｎｅｔｗｏｒｋ）サブシステムを含む（フェムトセルをサポートするＷｉＭＡＸネットワークの詳細な考察については以下の図２を参照されたい）。
【０００５】
[0005］ＷＦＡＰをＷｉＭＡＸネットワークに接続するのに必要な手順は、ブロードバンドアクセス機器（ＤＳＬやケーブルモデムなど）と関連するＷＦＡＰの物理的構成に依存する。また、ＷＦＡＰをＷｉＭＡＸネットワークに接続するための手順は、フェムトＮＳＰおよびフェムトＮＡＰネットワーク運用ポリシにも依存する。ＷＦＡＰが統合ＷＦＡＰであり、ブロードバンドアクセス事業者がフェムトＮＳＰと同じ事業者である場合、フェムトＮＳＰは初期ネットワークエントリ手順の間のＷｉＭＡＸネットワークとのＷＦＡＰ相互認証プロセスを省略することを選択してもよい。これは、ＷＦＡＰが先のブロードバンドアクセス・ネットワーク・エントリ手順の間に認証され、許可されているはずだからである。当業者には公知であるように、統合ＷＦＡＰはＷＦＡＰ機能をブロードバンドインターフェース（ＤＳＬやケーブルモデムなど）と統合して単一の物理的機器とするものである。
【０００６】
[0006］非統合ＷＦＡＰでは、ＷＦＡＰおよびブロードバンドインターフェース（ＤＳＬやケーブルモデムなど）が２つの異なる物理的機器として維持される。ＷＦＡＰとブロードバンド機器との間の接続は、開放型インターフェースに基づくものである。非ＷｉＭＡＸ認証ＷＦＡＰは、フェムトＮＳＰによりＷｉＭＡＸネットワーク上で認証される必要のない統合ＷＦＡＰである。統合ＷＦＡＰは、フェムトＮＳＰによりＷｉＭＡＸネットワーク上で認証される必要がないことを意味するものではないことに留意されたい。フェムトＮＳＰが統合ＷＦＡＰを認証するという決定は、事業者ベースの決定であり、配備に依存するものである。ＷｉＭＡＸ認証ＷＦＡＰは、ＷｉＭＡＸネットワーク上でフェムトＮＳＰにより認証される必要のある統合ＷＦＡＰまたは非統合ＷＦＡＰとすることができる。
【０００７】
[0007]本発明の実施形態によって解決されるべき問題は、アクティブで動作可能な状態になる前にＷｉＭＡＸネットワークによって認証される必要のある統合または非統合ＷＦＡＰの初期ネットワークエントリ手順を対象とする。
【発明の概要】
【０００８】
[0008]本発明の一実施形態は、関連付けられるフェムト加入者についてアクティブで動作可能な状態になる前にＷｉＭＡＸネットワークによって認証される必要のあるＷＦＡＰ、すなわち統合または非統合ＷＦＡＰの初期ネットワークエントリ手順を対象とする。
【０００９】
[0009]本出願の一実施形態は、アクティブで動作可能な状態になる前にＷｉＭＡＸネットワークによって認証される必要のあるフェムト・アクセス・ポイントによる初期ネットワークエントリ手順を実施するための方法および装置を対象とする。本方法は、ＤＮＳ問い合わせを実施して、関連付けられるフェムト・ネットワーク・サービス・プロバイダ・ドメイン内の関連付けられるサーバおよびゲートウェイを発見し、サーバのＩＰアドレスおよびゲートウェイのＩＰアドレスを取得するステップを含む。また本方法は、関連付けられるフェムト・ネットワーク・サービス・プロバイダとフェムト・アクセス・ポイントを認証し、フェムト・アクセス・ポイントとゲートウェイとの間にセキュアなＩＰトンネルを確立するステップも含む。方法はさらに、デフォルトの自己組織化ネットワークサーバと対話して位置決め許可を実行するステップであって、該自己組織化ネットワークサーバは、暫定的な無線パラメータを用いてフェムト・アクセス・ポイントを自動構成するように構成されている、ステップを含む。また方法は、フェムトゲートウェイについて登録を実行するステップも含む。本装置は、前述の方法を実行するための関連付けられる構成部品を含む。
【図面の簡単な説明】
【００１０】
【図１】ＷｉＭＡＸ基本参照ネットワークモデルにおける先行技術のネットワーク事業者間関係を示す図である。
【図２】ＳＯＮ機能を備えるＷｉＭＡＸフェムトネットワーク参照モデルの一実施形態を示す図である。
【図３】本発明の一実施形態において実施されるステップを示す図である。
【実施形態の詳細な説明】
【００１１】
[0013]図２に、ＳＯＮ機能を備えるＷｉＭＡＸフェムトネットワーク参照モデルの一実施形態を示す。図２に示すように、基地局２０１はフェムト・アクセス・ポイント（ＷＦＡＰ）２０５を介してフェムトセルのＮＡＰ２０２に接続されている。前述のように、フェムトＮＳＰ２０４はＷＦＡＰ２０５の運用、認証、および管理に責任を負う。フェムトＮＳＰ２０４は移動局加入契約に責任を負う従来のＷｉＭＡＸ  ＮＳＰ１０４から論理的に区別される。フェムトＮＳＰ２０４は、フェムトＡＡＡ２０７およびフェムトセル管理／自己組織化ネットワーク（ＳＯＮ）２０８サブシステムを含む。
【００１２】
[0014]本発明の一実施形態によれば、ＷｉＭＡＸ認証ＷＦＡＰ２０５を求める一般的なコールフローは以下の４つの段階を含む。（１）構成サーバ発見段階、（２）ＷＦＡＰ  ＷｉＭＡＸ認証段階、（３）ＳＯＮ位置決め許可および暫定的な無線システムパラメータ自動構成段階、ならびに（４）フェムトＧＷ登録段階。
【００１３】
[0015]段階１または構成サーバ発見段階では、対応するフェムトＮＳＰ２０７のためにＷＦＡＰ２０５と関連付けられるサービスＤＨＣＰサーバおよびサービスＳｅＧＷ２０６がＷＦＡＰ２０５に対して事前構成されていない場合、フェムトＮＳＰドメイン内のサービスＤＨＣＰサーバおよびサービスＳｅＧＷ２０６がＤＮＳのサポートによって発見される。任意選択で、ＳＯＮサーバ２０８もこの段階において発見されてもよい。ネットワークアクセス識別子および完全修飾ドメイン名（ＮＡＩ／ＦＱＤＮ：ｎｅｔｗｏｒｋ  ａｃｃｅｓｓ  ｉｄｅｎｔｉｆｉｅｒ  ａｎｄ  ｆｕｌｌ  ｑｕａｌｉｆｉｅｄ  ｄｏｍａｉｎ  ｎａｍｅ）が利用されて、ＷＦＡＰ２０５がＤＮＳ問い合わせをトリガすることができたはずであることに留意されたい。
【００１４】
[0016]本発明の一実施形態によれば、この段階においてＷＦＡＰ２０５は、ＩＰブロードバンドバックホールに接続されており、ＤＨＣＰに特有の手順を使って、ＩＰブロードバンド事業者によって構成されたＩＰアドレスを取得しインターネットへのアクセスを取得する。この手順の間にＷＦＡＰ２０５はデフォルトのＳｅＧＷ２０６と、任意選択でデフォルトのＳＯＮサーバ２０８のＩＰとを取得してもよいが、これはＷｉＭＡＸフェムトの範囲外である。ＷＦＡＰ２０５は、ＤＮＳのサポートによってフェムトＮＳＰ２０４に対応する関連付けられたサービスＤＨＣＰサーバおよびサービスＳｅＧＷ２０６を求める発見手順を実行し、ＷＦＡＰ２０５は、デフォルトのサービスＳｅＧＷのＩＰアドレス、およびデフォルトのサービスＤＨＣＰサーバのＩＰアドレスを取得する。ＷＦＡＰ２０５は任意選択でデフォルトのサービスＳＯＮサーバのＩＰアドレスを取得してもよい。
【００１５】
[0017]前述のように、ＮＡＩ／ＦＱＤＮが利用されてＷＦＡＰがＤＮＳ問い合わせをトリガできたはずである。ＷＦＡＰがこの段階において複数のＳｅＧＷ  ＩＰアドレスを取得する場合には、ＷＦＡＰ２０５はそれらのＳｅＧＷアドレスのうちの１つをデフォルトのＳｅＧＷ２０６として選択し得ることに留意すべきである。同様に、ＷＦＡＰ２０５がこの段階において複数のＳＯＮサーバ（ＳＯＮ機能）ＩＰアドレスを取得する場合にも、ＷＦＡＰ２０５はそれらのＩＰアドレスのうちの１つをデフォルトのＳＯＮサーバ２０８として選択することができる。
【００１６】
[0018]段階２またはＷＦＡＰ  ＷｉＭＡＸ認証段階では、ＷＦＡＰ２０５が、ＷＦＡＰ２０５のアンカオーセンティケータ（Ａｎｃｈｏｒ  Ａｕｔｈｅｎｔｉｃａｔｏｒ）をホストするＳｅＧＷ２０６のサポートを介してフェムトＮＳＰ２０４によって認証される。この段階では、サポートＩＫＥｖ２により、ＷＦＡＰ２０５とＳｅＧＷ２０６との間にＩＰＳｅｃトンネルが確立される。本発明の一実施形態では、この段階において、ＷＦＡＰは、ＷＦＡＰ２０５のアンカオーセンティケータをホストするデフォルトのサービスＳｅＧＷ２０６に接続し、フェムトＡＡＡ２０７と認証を行う。この段階の第１のステップでは、ＳｅＧＷ２０６を介してＷＦＡＰ２０５とフェムトＡＡＡ２０７との間で認証プロセスが実行される。フェムトＡＡＡ２０７は、ＷＦＡＰ識別事前割当てＮＡＩに基づいてＷＦＡＰ２０５が許可された加入者であるかどうか検査する。認証手順の間にフェムトＡＡＡ２０７は、ＷＦＡＰ２０５にＳＯＮサーバが割り当てられていない場合には、ＷＦＡＰ２０５にＳＯＮサーバ（ＳＯＮ機能）２０８を割り当てることができる。またフェムトＡＡＡはＷＦＡＰにフェムトＧＷ２１０を割り当てることもできる。フェムトＡＡＡ２０７がＷＦＡＰ２０５にＳＯＮサーバを割り当てた後で、ＷＦＡＰ２０５は割り当てられたＳＯＮサーバをデフォルトのＳＯＮサーバ２０８として使用することに留意すべきである。
【００１７】
[0019]この段階の第２のステップでは、ＷＦＡＰ２０５とフェムトＡＡＡ２０７との間の認証が正常に完了した後で、ＩＰＳｅｃトンネル確立プロセスがＷＦＡＰ２０５とＳｅＧＷ２０６との間で実行される。ＷＦＡＰ２０５がデフォルトのＳｅＧＷ２０６に接続しようと試みるときに、（負荷平衡化などのために）ＳｅＧＷ宛先変更手順が生じる場合があり、その場合ＷＦＡＰ２０５は新しいＳｅＧＷに接続することになることに留意すべきである。また、ＷＦＡＰ２０５がＷｉＭＡＸ非認証ＷＦＡＰである場合には、ＷＦＡＰ２０５について段階２全体を省くことができることにも留意すべきである。
【００１８】
[0020]段階３またはＳＯＮ位置決め許可および暫定的な無線システムパラメータ自動構成段階では、ＤＨＣＰサーバによって、またはフェムトＡＡＡ２０７によって提供される構成による任意選択のＳＯＮサーバ発見が行われ得る。また、ＳＯＮ機能のサポートによるＷＦＡＰ位置決め許可、およびＳＯＮ機能のサポートによる暫定的な無線システムパラメータ自動構成も実行される。本発明の一実施形態によれば、この段階において、ＷＦＡＰはＳＯＮサーバ発見を実行し、フェムトＮＳＰ２０４にあるデフォルトのＳＯＮサーバに接続して位置決め許可を実行し、暫定的な無線パラメータを自動構成する。
【００１９】
[0021]ステップ１で、ＷＦＡＰは、フェムトＮＳＰ２０４によって構成された別のＩＰアドレスを取得してフェムトＮＳＰ２０４ネットワークドメイン内で動作することができる。この手順の間に、フェムトＮＳＰドメイン内でＷＦＡＰにＳＯＮサーバが割り当てられていない場合には、ＷＦＡＰ２０５にＳＯＮサーバ２０８（ＳＯＮ機能）を割り当てることができ、任意選択で、サービスフェムトＧＷが割り当てられていない場合には、サービスフェムトＧＷ２１０も割り当てることができる。ＷＦＡＰ２０５がフェムトＮＳＰ構成ＩＰアドレスを必要としないが、ＷＦＡＰ２０５がデフォルトのＳＯＮサーバ（ＳＯＮ機能）ＩＰアドレスもＦＱＤＮも取得しない場合には、ＷＦＡＰ２０５はサービスＤＨＣＰサーバとＤＨＣＰ特有の手順をトリガしてＳＯＮサーバ（ＳＯＮ機能）ＩＰアドレスを取得することもできることに留意されたい。
【００２０】
[0022]ステップ２で、ＷＦＡＰ２０５にＳＯＮサーバＦＱＤＮがありＩＰアドレスがない場合には、ＷＦＡＰ２０５は、フェムトＮＳＰドメインにあるＤＮＳサーバとＤＮＳ問い合わせ手順を実行することができる。この手順の間にＷＦＡＰ２０５はＳＯＮサーバＩＰアドレスを取得することができる。
【００２１】
[0023]ステップ３で、ＷＦＡＰ２０５はフェムトＮＳＰ２０４内のデフォルトのＳＯＮサーバと対話してＷＦＡＰの位置決め許可を実行し、ＷＦＡＰ２０５の位置決め情報に基づいて、ＳＯＮサーバ２０８はＷＦＡＰ２０５にフェムトＧＷ２１０を割り当てることができる。
【００２２】
[0024]ステップ４で、ＳＯＮサーバ２０８は暫定的な無線パラメータを用いてＷＦＡＰ２０５を自動構成することができる。位置決め許可に基づき、フェムトＮＳＰ内のＳＯＮサーバ２０８はＷＦＡＰ２０５がどのＮＡＰに接続すべきか判定することができることに留意すべきである。ＳＯＮ機能の一部である位置決め許可機能はフェムトＮＳＰドメイン内になければならない。
【００２３】
[0025]段階４またはフェムトＧＷ登録段階では、（１）ＷＦＡＰ２０５へのフェムトＧＷ２１０割当てを、サービスＤＨＣＰサーバによって、サービスフェムトＡＡＡ２０７によって、またはサービスＳＯＮ機能によって提供される構成パラメータにより指定することができ、（２）フェムトＧＷ２１０とのＷＦＡＰ  Ｒ６−Ｆ確立が完了する。この段階において、ＷＦＡＰ２０５は適切なフェムトＧＷ２１０に接続してフェムトＧＷ登録を実行する。この段階の後、ＷＦＡＰは基地局モードに入る。
【００２４】
[0026]ステップ１で、ＮＡＰ（ＮＡＰ内のＳＯＮ機能）は、フェムトＮＳＰ（ＮＳＰ内のＳＯＮ機能）と協働して自動構成を実行する。ステップ２で、ＷＦＡＰ２０５はデフォルトのフェムトＧＷ２１０に対してフェムトＧＷ登録を行う。次いでフェムトＧＷ２１０はＷＦＡＰ２０５のサービスフェムトＧＷになる。加えて、フェムトＧＷは、負荷平衡化の目的で、または他の最適化を理由で、ＷＦＡＰ２０５を別のフェムトＧＷに宛先変更することもできる。フェムトＧＷ登録の間にフェムトＧＷは、ＮＡＰとフェムトＮＳＰの両方にあるＷＦＡＰのＳＯＮ機能と連絡を取って何らかの情報を交換する必要が生じ得ることに留意されたい。
【００２５】
[0027]図３に、本発明の一実施形態において実施されるステップを示す。段階１のステップ１で、サービスＤＨＣＰサーバおよびサービスＳｅＧＷ２０６がＷＦＡＰ２０５に対して事前構成されていない場合、フェムトＮＳＰドメイン内のサービスＤＨＣＰサーバおよびサービスＳｅＧＷ２０６がＤＮＳのサポートによって発見される。
【００２６】
[0028]段階２のステップ１で、ＷＦＡＰ２０５が、ＷＦＡＰ２０５のアンカオーセンティケータをホストするＳｅＧＷ２０６のサポートを介してフェムトＮＳＰ２０４によって認証される。段階２のステップ２で、ＷＦＡＰ２０５とフェムトＡＡＡ２０７との間の認証が正常に完了した後で、ＷＦＡＰ２０５とＳｅＧＷ２０６との間でＩＰＳｅｃトンネル確立プロセスが実行される。
【００２７】
[0029]段階３のステップ１で、ＷＦＡＰ２０５は、フェムトＮＳＰ２０４によって構成された別のＩＰアドレスを取得してフェムトＮＳＰ２０４ネットワークドメイン内で動作することができる。段階３のステップ２で、ＷＦＡＰ２０５にＳＯＮサーバＦＱＤＮがあるが、ＩＰアドレスがない場合には、ＷＦＡＰ２０５は、フェムトＮＳＰドメインにあるＤＮＳサーバとＤＮＳ問い合わせ手順を実行することができる。段階３のステップ３で、ＷＦＡＰ２０５はフェムトＮＳＰ２０４内のデフォルトのＳＯＮサーバと対話してＷＦＡＰの位置決め許可を実行し、ＷＦＡＰ２０５の位置決め情報に基づいてＳＯＮサーバ２０８はＷＦＡＰ２０５にフェムトＧＷ２１０を割り当てることができる。段階３のステップ４で、ＳＯＮサーバ２０８は暫定的な無線パラメータを用いてＷＦＡＰ２０５を自動構成することができる。
【００２８】
[0030]段階４のステップ１で、ＷＦＡＰ２０５へのフェムトＧＷ２１０割当てを、サービスＤＨＣＰサーバによって、サービスフェムトＡＡＡ２０７によって、またはサービスＳＯＮ機能によって提供される構成パラメータによって指定することができる。段階４のステップ２で、ＷＦＡＰ２０５は適切なフェムトＧＷ２１０に接続してフェムトＧＷ登録を実行する。
【００２９】
[0031]以上本発明をいくつかの実施形態について図示し、説明したが、本発明の装置および本発明の装置を動作させる方法には、本発明の範囲および趣旨を逸脱することなく様々な改変が行われ得ることを当業者は理解するはずである。本発明は、本発明の機器および方法の改変および変形が添付の特許請求の範囲およびその均等物の範囲内に含まれる限り、それらの改変および変形を包含するものである。
【図１】
2012532512.tif 000003
【図２】
2012532512.tif 000004
【図３】
2012532512.tif 000005
【国際調査報告】
2012532512.tif 000006